(57)【要約】【課題】塵埃を収容する着脱自在な集塵ケースを有する掃除機にあって、集塵ケースの蓋体を開操作する尾錠釦の操作タイミングを規制し、使い勝手を向上させた集塵ケースを有する電気掃除機を提供する。【解決手段】集塵ケース１８は、ケース本体１９と、このケース本体に軸２０および蓋体バネ３３で開閉自在に設けた蓋体２１と、この蓋体２１を固定し軸３４により回転可能な押しレバー３５と、この押しレバー３５を操作する、尾錠釦バネ３６により摺動可能な尾錠釦２２と、バネにより摺動可能な尾錠ストッパー３８とにより構成する。集塵ケース１８が掃除機本体に装着されている時には、尾錠ストッパー３８が掃除機本体の壁面に押され吸気口側に摺動し、尾錠釦の下部に挿入され、尾錠釦を操作不能状態にでき、操作タイミングを規制できる。【選択図】　図７
2004008295.tif 000002
【特許請求の範囲】
【請求項１】
吸引風を発する電動送風機を内蔵する掃除機本体と、前記電動送風機の吸気上流側に前記掃除機本体に着脱自在に設けられ、吸塵した塵埃を収容する集塵ケースとを備え、前記集塵ケースは塵埃を廃棄するための開口部と、回動自在に軸支され前記開口部を開閉自在に塞ぐ蓋体と、前記蓋体を開操作する尾錠釦を有し、前記尾錠釦は掃除機本体より集塵ケースを取り外した状態でのみ蓋体の開操作を可能とする電気掃除機。
【請求項２】
集塵ケースは、蓋体を開操作する尾錠釦の動作を阻止する尾錠ストッパーを設けてなる請求項１記載の電気掃除機。
【請求項３】
尾錠ストッパーにバネを一体に形成し、集塵ケースを取り外したときには、尾錠釦が動作できるように、前記バネにより前記尾錠ストッパーに付勢力を与える構成とした請求項２記載の電気掃除機。
【請求項４】
尾錠ストッパーと尾錠釦は、互いに嵌合する凹部をいずれか一方に、他方に凸部をそれぞれ設けてなる請求項２または３記載の電気掃除機。
【請求項５】
集塵ケースは、尾錠釦を覆う開閉自在な尾錠カバーを設け、前記尾錠カバーは、集塵ケースを掃除機本体へ装着した時に自動的に閉じて尾錠釦を覆い、集塵ケースを掃除機本体から取り外した時に自動的に開き尾錠釦を操作可能に構成してなる請求項１記載の電気掃除機。
【請求項６】
尾錠カバーは、集塵ケースに回動自在に軸支されてバネにより掃除機本体の後方側に付勢されるとともに、集塵ケースを掃除機本体へ装着する操作で掃除機本体に当接し回動して尾錠釦を覆い、集塵ケースを掃除機本体から取り外す操作で尾錠釦の前記覆いを開放するように設けてなる請求項５記載の電気掃除機。
【請求項７】
尾錠カバーは、摺動可能に掃除機本体側へバネで付勢され、かつ集塵ケースより掃除機本体の後方側へ突き出た突出部を有し、前記尾錠カバーは集塵ケースを掃除機本体へ装着する操作で掃除機本体に前記突出部が当接し、摺動して尾錠釦を覆い、集塵ケースを本体から取り外す操作で前記覆いを開くように設けてなる請求項５記載の電気掃除機。
【請求項８】
集塵ケースは、押し込み操作で摺動し前記集塵ケースの蓋体を開操作する尾錠釦を有し、前記尾錠釦は前記集塵ケースを掃除機本体に装着する操作で押し込み摺動方向を軸として回動し、前記蓋体の開操作を不能にするように設けた請求項１記載の電気掃除機。
【請求項９】
尾錠ボタンは外周面に押し込み摺動方向に沿い螺旋状のカム溝を、集塵ケースは前記カム溝内を摺動する突出部をそれぞれ有し、集塵ケースを掃除機本体から取り外した時には、前記突出部が前記カム溝内を移動して尾錠釦により蓋体を開操作でき、集塵ケースを掃除機本体に装着した時には、前記突出部が前記カム溝内を移動して尾錠釦が押し込み摺動方向を軸として回動し集塵ケース内に収納するように構成してなる請求項８記載の電気掃除機。
【請求項１０】
集塵ケースは外周面に押し込み摺動方向に沿い螺旋状のカム溝を、尾錠釦は前記カム溝内を摺動する突出部をそれぞれ有し、集塵ケースを掃除機本体から取り外した時には、前記突出部が前記カム溝内を移動して尾錠釦により蓋体を開操作でき、集塵ケースを掃除機本体に装着した時には、前記突出部がカム溝内を移動して尾錠釦が押し込み摺動方向を軸として回動し集塵ケース内に収納するように構成してなる請求項８記載の電気掃除機。
【請求項１１】
吸引風を発する電動送風機を内蔵する掃除機本体と、前記電動送風機の吸気上流側に前記掃除機本体に着脱自在に設けられ、吸塵した塵埃を収容する集塵ケースとを備え、前記集塵ケースは塵埃を廃棄するための開口部と、回動自在に軸支され前記開口部を開閉自在に塞ぐ蓋体と、前記蓋体を開操作する尾錠釦を有し、前記尾錠釦を操作した際に、前記蓋体を開く方向に押圧する手段を設けてなる電気掃除機。
【請求項１２】
集塵ケースは回動自在に軸支された蓋体を係止する押しレバーを設け、前記押しレバーに蓋体を開く方向に押圧する部材を一体に形成した請求項１１記載の電気掃除機。
【発明の詳細な説明】
【０００１】
【発明の属する技術分野】
本発明は塵埃を収容する集塵ケースを、掃除機本体に着脱自在に取り付ける電気掃除機に関する。
【０００２】
【従来の技術】
この種従来の電気掃除機は、特開平９−２５３０１１号公報に開示のように、集塵ケースが本体に装着時において、集塵した塵埃を捨てるのに集塵ケースの蓋体を開くための尾錠は、本体の内側に位置し、塵埃を捨てる際には両手を使い操作する必要があった。
【０００３】
また他の電気掃除機には、尾錠が本体の外郭面で、かつ把手近傍に位置し、片手で操作可能な構成のものも市場に出ている。その構成について図３を用いて説明する。なお、電気掃除機の全体的な構成を示すため、本発明の実施例１の図１、図２を利用するものとする。
【０００４】
掃除機本体１は、手元ハンドル２とホース継ぎ手３付きのホース４とを介して延長管５を連結し、さらに延長管５に取り付けた塵埃を吸引する吸込具６を有している。また、掃除機本体１は、前下面に１個の前輪キャスター７と後部の両側に一対の後輪８とを備えている。
【０００５】
このような掃除機本体１は、図２に示すように、下本体９と上本体１０と本体カバー１１とで外郭を構成している。電動送風機１２は、吸引空気流を発生するもので、前部を第１サポートゴム１３で支持し、後部は第２サポートゴム１４を介して第１モータカバー１５と第２モータカバー１６により支持して下本体９に装着し、中本体１７により固定している。
【０００６】
集塵ケース１８は、ケース本体１９とこのケース本体１９に軸２０により開閉自在に係止した蓋体２１とで構成し、尾錠釦２２を押すことにより蓋体２１とケース本体１９との係止が外れ、蓋体２１をケース本体１９より開き、開いた開口部より塵埃を捨てられるように構成している。そして、この集塵ケース１８は、電動送風機１２の吸気上流側、すなわち下本体９の前方に形成した凹部２３に取り外し可能に装着している。
【０００７】
しかしながら、このような電気掃除機にあって、蓋体２１を開閉するための尾錠釦２２は、塵埃を捨てるため集塵ケース１８を下本体９より取り外して所定の場所に運んでから操作する以外でも、簡単に操作できるものである。すなわち、集塵ケース１８が掃除機本体１に装着されている時に、誤って尾錠釦２２を操作したまま、掃除機本体１から集塵ケース１８を取り外した際には、ごみ箱等の廃棄場所に行く前に蓋体２１が開き、塵埃が集塵ケース１８の開口部から不意にこぼれ出てしまうという問題があった。
【０００８】
さらに、蓋体２１を開くための尾錠釦２２は操作性を考え、集塵ケース１８を持つ把手部等の部位の近くに配置している場合が多く、集塵ケース１８を取り外す際に無意識のうちに操作してしまう傾向があった。
【０００９】
一方、集塵ケース１８は、側面等に開口した開口部を、重力に逆らって強制的に蓋体２１を上方へ開く構成にしているため、蓋体が開きづらいので強い開力をもつバネを利用して容易に開けるようしているため、強い開力をもつバネとそれに対応する取りつけ構成が必要であった。
【００１０】
【発明が解決しようとする課題】
上記従来の技術の問題点に鑑み、本発明が解決しようとする課題は、蓋体を開く操作タイミングを規制することにより、使い勝手を向上させた集塵ケースを有する電気掃除機を提供することにある。
【００１１】
【課題を解決するための手段】
上記課題を解決するために本発明は、吸引風を発する電動送風機を内蔵する掃除機本体と、前記電動送風機の吸気上流側に前記掃除機本体に着脱自在に設けられ、吸塵した塵埃を収容する集塵ケースとを備え、前記集塵ケースは塵埃を廃棄するための開口部と、回動自在に軸支され前記開口部を開閉自在に塞ぐ蓋体と、前記蓋体を開操作する尾錠釦を有し、前記尾錠釦は掃除機本体より集塵ケースを取り外した状態でのみ蓋体の開操作を可能とするもので、前記尾錠釦の操作タイミングを規制できる。
【００１２】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１３】
請求項１記載に係る発明は、吸引風を発する電動送風機を内蔵する掃除機本体と、前記電動送風機の吸気上流側に前記掃除機本体に着脱自在に設けられ、吸塵した塵埃を収容する集塵ケースとを備え、前記集塵ケースは塵埃を廃棄するための開口部と、回動自在に軸支され前記開口部を開閉自在に塞ぐ蓋体と、前記蓋体を開操作する尾錠釦を有し、前記尾錠釦は掃除機本体より集塵ケースを取り外した状態でのみ蓋体の開操作を可能とするもので、前記尾錠釦は集塵ケースが掃除機本体に装着されている状態では開操作できなくなり、集塵ケースが掃除機本体より取り外されて始めて開操作できるようになり、尾錠釦の開操作タイミングが規制される。従って、集塵ケースが掃除機本体に装着されている状態で、誤って尾錠釦を操作したまま集塵ケースを取り外した際に、蓋体が不意に開いて塵埃が開口部から落下することを防止でき、使い勝手を向上できるものである。
【００１４】
請求項２記載に係る発明は、請求項１記載において、集塵ケースは、蓋体を開操作する尾錠釦の動作を阻止する尾錠ストッパーを設けてなるもので、集塵ケースを掃除機本体に装着時には、尾錠ストッパーにより蓋体を開操作する尾錠釦の動作が阻止され、また掃除機本体から集塵ケースを取り外した時には前記動作が阻止されないことによって、掃除機本体に集塵ケースの装着時において尾錠釦の誤操作を防止できるものである。
【００１５】
請求項３記載に係る発明は、請求項２記載において、尾錠釦が動作できるように、前記バネにより前記尾錠ストッパーに付勢力を与える構成としたもので、尾錠ストッパーの１部品で作用を行う付勢力が簡単に得られることで、安価に構成できる。
【００１６】
請求項４記載に係る発明は、請求項２または３記載において、尾錠ストッパーと尾錠釦は、互いに嵌合する凹部をいずれか一方に、他方に凸部をそれぞれ設けたもので、前記凹部とこれに嵌合する凸部により、集塵ケースが掃除機本体に装着時において誤って尾錠釦が蓋体の開操作をすると尾錠ストッパーとの間で凹凸嵌合が行われ、尾錠釦が蓋開操作されたまま掃除機本体から集塵ケースが取り外されてもロックは外れず、一度、尾錠釦の蓋開操作を離してから初めて再び操作可能となる。従って、尾錠釦による蓋体の開操作をしたままでの集塵ケースの取り外しが行われたとしても蓋体の不用意な開きを確実に防止し、開口部からの塵埃のこぼれ出しを防止できるものである。
【００１７】
請求項５記載に係る発明は、請求項１記載において、集塵ケースは、尾錠釦を覆う開閉自在な尾錠カバーを設け、前記尾錠カバーは、集塵ケースを掃除機本体に装着した時に自動的に閉じて尾錠釦を覆い、集塵ケースを掃除機本体からの取り外した時に自動的に開き尾錠釦を操作可能に構成したもので、尾錠カバーは集塵ケースの掃除機本体への着脱で尾錠釦のカバーおよびその開放が行われる。従って、集塵ケースの掃除機本体への装着時には尾錠釦を操作できず、不用意な塵埃のこぼれ出しを防止でき、さらに外部から尾錠釦が見えないため、他の操作釦と混同することもないので、使い易いとともに、尾錠釦へのほこり等の侵入も防ぐことができる。
【００１８】
請求項６記載に係る発明は、請求項５記載において、尾錠カバーは、集塵ケースに回動自在に軸支されてバネにより掃除機本体の後方側に付勢されるとともに、集塵ケースを掃除機本体へ装着する操作で掃除機本体に当接し回動して尾錠釦を覆い、集塵ケースを掃除機本体から取り外す操作で尾錠釦の前記覆いを開放するように設けたもので、掃除機本体から集塵ケースを取り外した時には、操作をすることなく、バネにより自動的に尾錠カバーが開くため、ワンタッチで塵埃の排出が可能であり、掃除機本体への集塵ケースの装着時には、掃除機本体方向に開いている尾錠カバーが掃除機本体に押されて回転し自動的に尾錠釦を覆うことができ、開閉操作を必要としない、大変使い勝手を向上させることができる。
【００１９】
請求項７記載に係る発明は、請求項５記載において、尾錠カバーは、摺動可能に掃除機本体後方側へ付勢され、かつ集塵ケースより掃除機本体の後方側へ突き出た突出部を有し、前記尾錠カバーは集塵ケースを掃除機本体へ装着する操作で掃除機本体に前記突出部が当接し、摺動して尾錠釦を覆い、集塵ケースを本体から取り外す操作で前記覆いを開くように設けたもので、尾錠カバーは集塵ケースの掃除機本体への着脱で摺動して尾錠釦の覆い、および開放を行うものである。従って、上下方向に尾錠カバーの動作範囲を広く取れない場合でも尾錠釦を覆うことができるとともに、誤った尾錠釦の操作で不用意に集塵ケースから塵埃のこぼれ出しを防止できる。
【００２０】
請求項８記載に係る発明は、請求項１記載において、集塵ケースは押し込み操作で摺動して前記集塵ケースの蓋体を開操作する尾錠釦を有し、前記尾錠釦は前記集塵ケースを掃除機本体に装着する操作で押し込み摺動方向を軸として回動し、前記蓋体の開操作を不能にするように設けたもので、集塵ケースは掃除機本体に装着することで尾錠釦を蓋体の開操作ができないように押し込み摺動方向を軸として回動させるものである。従って、尾錠釦は蓋体の操作タイミングを規制され、掃除機本体に集塵ケースが装着されている状態で尾錠釦を誤って操作しても蓋体が開くことはないから使い勝手を向上することができる。
【００２１】
請求項９記載に係る発明は、請求項８記載において、尾錠釦は外周面に押し込み摺動方向に沿って螺旋状のカム溝を、集塵ケースは前記カム溝内を摺動する突出部をそれぞれ有し、集塵ケースを掃除機本体から取り外した時には、前記突出部が前記カム溝内を移動して尾錠釦により蓋体を開操作でき、集塵ケースを掃除機本体に装着した時には、前記突出部が前記カム溝内を移動して尾錠釦が押し込み摺動方向を軸として回動し集塵ケース内に収納するように構成したもので、尾錠釦は集塵ケースの掃除機本体への着脱で集塵ケースより出没する形態になる。従って、尾錠釦は集塵ケースの掃除機本体への装着時では集塵ケース内に収納、例えば集塵ケース内に没して誤操作をし難くして、さらに集塵ケースから塵埃のこぼれ出しを確実に防止することができる。
【００２２】
請求項１０記載に係る発明は、請求項８記載において、集塵ケースは外周面にに押し込み摺動方向に沿って螺旋状のカム溝を、尾錠釦は前記カム溝内を摺動する突出部をそれぞれ有し、集塵ケースを掃除機本体から取り外した時には、前記突出部が前記カム溝内を移動して尾錠釦により蓋体を開操作でき、集塵ケースを掃除機本体に装着した時には、前記突出部がカム溝内を移動して尾錠釦が押し込み摺動方向を軸として回動し集塵ケース内に収納するように構成したもので、尾錠釦は集塵ケースの掃除機本体への着脱で集塵ケースより出没する形態になる。従って、尾錠釦は集塵ケースの掃除機本体への装着時では集塵ケース内に没して誤動作を、さらに確実に防止することができるとともに、尾錠釦に少ない加工で操作タイミングの規制を実現できる。
【００２３】
請求項１１記載に係る発明は、吸引風を発する電動送風機を内蔵する掃除機本体と、前記電動送風機の吸気上流側に前記掃除機本体に着脱自在に設けられ、吸塵した塵埃を収容する集塵ケースとを備え、前記集塵ケースは塵埃を廃棄するための開口部と、回動自在に軸支され前記開口部を開閉自在に塞ぐ蓋体と、前記蓋体を開操作する尾錠釦を有し、前記尾錠釦を操作した際に、前記蓋体を開く方向に押圧する手段を設けたもので、重力に逆らっての蓋体を開ける場合などの強い開力が必要な際に、前記手段は補助的に蓋体を押すことになり、楽に蓋体を開けることができる。
【００２４】
請求項１２記載に係る発明は、請求項１１記載において、集塵ケースは回動自在に軸支された蓋体を係止する押しレバーを設け、前記押しレバーに蓋体を開く方向に押圧する部材を一体に形成したもので、前記部材により尾錠釦を操作すると同時に蓋体を開く方向に補助的な力を加えられ、尾錠釦の操作する力を、蓋体を開くための力に使用することが可能になる。
【００２５】
【実施例】
以下、本発明の実施例について、図面を参照しながら説明する。
【００２６】
（実施例１）
図１〜図８は実施例１における電気掃除機を示すものであるが、集塵ケースの蓋体を開操作する尾錠釦部分の構成を除く、全体的な構成要素の配置は従来の掃除機と似ているので図２０も利用して説明する。
【００２７】
図１に示すように、掃除機本体１は、手元ハンドル２とホース継ぎ手３付きのホース４とを介して延長管５を連結し、さらに延長管５に取り付けた塵埃を吸引する吸込具６を有している。また、掃除機本体１は、前下面に１個の前輪キャスター７と後部の両側に一対の後輪８とを備えている。
【００２８】
この掃除機本体１は、図２に示すように、下本体９と上本体１０と本体カバー１１とで外郭を構成している。電動送風機１２は、吸引空気流を発生するもので、前部を第１サポートゴム１３で支持し、後部は第２サポートゴム１４を介して第１モータカバー１５と第２モータカバー１６により支持して下本体９に装着し、中本体１７により固定している。
【００２９】
集塵ケース１８は、塵埃を遠心分離する分離室２４を有し、この分離室２４は略中空円筒状に形成し、かつ図３および図４に示すように、掃除機本体１の吸気口２５に連通し、前記分離室２４へ吸気を案内する塵埃搬送室２６に第２連通口２７を介して連通するとともに、塵埃を移送する第１連通口２８を介して塵埃を蓄積する塵埃収容室２９に連通している。
【００３０】
この分離室２４には、電動送風機１２の吸気側と連通する吸気フィルター３０を設け、第２連通口２７は吸気フィルター３０の近傍に形成し、第１連通口２８は分離室２４の第２連通口２７と対角の位置に形成している。また、塵埃搬送室２６の第２連通口２７に臨む位置には、図６に示すように吸引空気流を分離室２４の内壁に沿わせつつ第１連通口２８に向かわせる整流ガイド部３１を蓋体２１に形成している。また、第１連通口２８の周囲に塵埃収容室２９から分離室２４への気流の逆流を阻害する整流壁３２を形成している。
【００３１】
また、集塵ケース１８は図７、図８に示すように、ケース本体１９と、このケース本体１９に軸支した軸２０に設け、軸２０に巻装した蓋体バネ３３により重力と反対の上向きに付勢力を受けてケース本体１９の開口部１９ａを開く開閉自在な蓋体２１と、この蓋体２１を係止して開口部１９ａを閉蓋させ、かつ軸３４により回転可能に設けた押しレバー３５と、上向きに付勢する尾錠釦バネ３６に抗して下向きに押されて摺動し前記押しレバー３５を操作して蓋体２１の係止を解除し、常には尾錠釦バネ３６により把手部４６の上面より突き出ている尾錠釦２２とにより構成している。
【００３２】
押しレバー３５は尾錠釦２２の開操作を受けた時に回転して、蓋体２１に当接して蓋体２１を開く方向に補助的な力を加える押圧部材３５ａと、蓋体バネ３３の作用で開く蓋体２１の端部と着脱自在に係止して蓋体２１を閉じた位置にする係止部材３５ｂを有する。
【００３３】
また、集塵ケース１８は尾錠釦２２が下本体９より集塵ケース１８を取り外した状態でのみ蓋体２１の開操作を可能にする手段、すなわち尾錠ストッパーバネ３７により摺動可能な尾錠ストッパー３８を備える。そして、尾錠ストッパー３８は常に尾錠ストッパーバネ３７により付勢されて掃除機本体１の後側方向である電動送風機１２側に一部３８ａが突き出ている位置（蓋体２１を開操作する尾錠釦２２の動作を阻止しない位置）と、集塵ケース１８の下本体９の凹部２３に装着することで、一部３８ａが下本体９の立設した壁９ａに押され掃除機本体１の前側へ摺動し尾錠釦２２の下側に入って尾錠釦２２が上方から押し込めない位置（蓋体２１を開操作する尾錠釦２２の動作を阻止する位置）とに作用する構成にしてある。
【００３４】
さらに、集塵ケース１８は電動送風機１２の吸気上流側、すなわち下本体９の前方に形成した凹部２３に装着し、上本体１０に備えた摺動可能な着脱用尾錠３９により固定および取り外し可能にしている。
【００３５】
上記構成における動作、作用について説明する。電動送風機１２を運転状態にすると、吸込具６より空気とともに吸引された塵埃を含む吸気気流は、図３および図４の矢印で示すように、吸気口２５より流入して塵埃搬送室２６を通り第２連通口２７を介して分離室２４に入る。
【００３６】
このとき、第１連通口２８は分離室２４の第２連通口２７と対角の位置に形成し、塵埃搬送室２６の第２連通口２７に臨む位置に吸気気流を分離室２４の内壁に沿わせつつ第１連通口２８に向かわせる整流ガイド部３１を形成しているので、第２連通口２７より分離室２４内に流入した塵埃を含む吸気気流は、分離室２４の内壁に沿って、第１連通口２８に向かう旋回気流を形成することができる。この旋回気流により、吸気気流に含まれる塵埃に遠心力が働き、塵埃を遠心分離することができ、気流より分離した塵埃は第１連通口２８を通して塵埃収容室２９に蓄積され、塵埃を分離した清浄空気は吸気フィルター３０を通して、電動送風機１２に吸引される。
【００３７】
集塵ケース１８に溜まった塵埃等を廃棄する際には、着脱用尾錠３９を電動送風機１２方向へスライドさせ、解錠した状態で集塵ケース１８を持ち上げ、下本体９の凹部２３より取り外す。次に塵埃を廃棄する場所に集塵ケース１８を運んで尾錠釦バネ３６に抗して尾錠釦２２を上方より押すと、尾錠釦２２に押された押しレバー３５が軸３４を中心に半時計回り方向に回転し、係止部材３５ｂが固定していた蓋体２１の一部との係止が外れ、かつ押圧部材３５ａが蓋体２１に当って開方向に作用する補助的力と蓋体バネ３３の作用により軸２０を中心に半時計方向に９０度回転し開口部１９ａを開成する。そして、開放状態となった集塵ケース１８の開口部１９ａから塵埃収容室２９内の塵埃をごみ箱等へ排出するのである。
【００３８】
また、押しレバー３５は回転する際に、係止部材３５ｂの蓋体２１との係止を外すのと同時に押圧部材３５ａが当って蓋体２１を開く方向に押圧するため、蓋体２１を開くための補助力となり、蓋体２１を開くための蓋体バネ３３等の力を軽減でき、安価な蓋体バネの採用が可能になるとともに、楽に蓋体２１を開くことができ使い勝手を向上できる。
【００３９】
一方、集塵ケース１８は、下本体９に装着されている時には、図８に示すように、尾錠ストッパー３８が下本体９の壁９ａに押され吸気口２５方向に摺動し、尾錠釦２２の下部に挿入されているため、尾錠釦２２は押すことができず操作不能となる。
【００４０】
従って、集塵ケース１８が下本体９に装着されている時に、誤って尾錠釦２２を押したまま集塵ケース１８を取り外した際に、蓋体２１が不用意に開き開口部１９ａから塵埃がこぼれ出てしまうのを防止することができる。さらに、集塵ケース１８は下本体９に装着している時には、尾錠釦２２は押せないため、近くに配置された着脱用尾錠３９と混同してしまい、押しているのに集塵ケース１８が取り出せないといった誤りも防止できる。
【００４１】
また、集塵ケース１８は下本体９から取り外された状態では、尾錠ストッパー３８は尾錠ストッパーバネ３７により電動送風機１２側に摺動し、尾錠釦２２の下部から後退するため、尾錠釦２２は操作可能となり前述のように塵埃を排出可能になる。
【００４２】
（実施例２）
次に本発明の実施例２を、図９および図１０と実施例１の図を用いて説明する。なお、実施例１と同一構成および作用効果を奏する部分については同一符号を付して詳細な説明を省略し、異なるところを中心に説明する。
【００４３】
集塵ケース１８は、実施例１の尾錠ストッパーバネ３７に代えて、樹脂バネ４１を一体に形成し、かつ一部に凹部４２を設けた尾錠ストッパー３８と、尾錠釦バネ３６に抗して下向きに押されて摺動し前記押しレバー３５を操作して蓋体２１の係止を解除し、かつ前記凹部４２に嵌合する突出部４３を有する尾錠釦２２とにより構成している。
【００４４】
上記構成における動作、作用について説明する。図１１に示すように、集塵ケース１８が下本体９に装着されている時には、尾錠ストッパー３８が下本体９の壁９ａに押され吸気口２５方向に摺動し、尾錠釦２２の下側に挿入され、尾錠釦２２は押すことができず操作不能となる。さらに、その時に尾錠ストッパー３８の凹部４２に尾錠釦２２の突出部４３が嵌合されるため、使用者が誤って尾錠釦２２を押したまま集塵ケース１８を下本体９から取り外した際に、尾錠ストッパー３８は尾錠釦２２に嵌合して下部に挿入されたままであり、蓋体２１が開き集塵ケース１８の開口部１９ａから塵埃がこぼれ出てしまうのを確実に防止することができる。
【００４５】
さらに、尾錠ストッパー３８と尾錠釦２２の凹部４２と突出部４３が嵌合したまま取り外した集塵ケース１８は、一旦、尾錠釦２２を押すのを離すと前記嵌合が外れ、樹脂バネ４１により尾錠ストッパー３８が自動的に摺動して後方へ後退し、尾錠釦２２の下部に非挿入状態となるため、尾錠釦２２を押して蓋体２１を開く操作ができ、集塵ケース１８を下本体９から取り外し、意図した時のみに塵埃を排出可能となる。
【００４６】
また、樹脂バネ４１を使用することにより部品点数を減らせ安価に構成できる。なお、上記実施例では凹部４２を尾錠ストッパー３８に、突出部４３を尾錠釦２２にそれぞれ設けたが、前記凹部４２と突出部４３を逆の関係に尾錠釦２２と尾錠ストッパー３８に設けても、本実施例と同じ作用効果を期待できるものである。
【００４７】
（実施例３）
次に本発明の実施例３を、図１２、図１３と実施例１の図を用いて説明する。なお、実施例１、２と同一構成および作用効果を奏する部分については同一符号を付して詳細な説明を省略し、異なるところを中心に説明する。
【００４８】
集塵ケース１８は、下本体９の壁９ａに接する面の端部に位置して設けた軸４４と、その軸４４を中心に回転可能に設け、尾錠釦２２を覆い、または開放する開閉自在な尾錠カバー４５により構成される。さらに、尾錠釦２２は把手部４６の近傍に位置して設けている。
【００４９】
尾錠カバー４５は軸４４に巻装した尾錠カバーバネ４７により常に下本体９の後方側に開力が働いており、集塵ケース１８が下本体９に装着した時には、尾錠カバー４５の電動送風機１２側の面４８が下本体９の壁９ａと接合する構成となっている。
【００５０】
上記構成における動作、作用について説明する。集塵ケース１８を下本体９に装着する時には、図１３に示すように、尾錠カバー４５の電動送風機１２側の面４８が下本体９の壁９ａに当接して図１２に示す矢印方向に回転誘導され、尾錠カバー４５は使用者が操作をすることなく自動的に閉められ、尾錠釦２２を覆うのである。
【００５１】
さらに、その後集塵ケース１８が所定置に装着されている間は、尾錠カバー４５の面４８が下本体９の壁９ａに接しているため、尾錠カバー４５を開けることはできず、尾錠ボタン２２を操作することはできない。よって、集塵ケース１８は尾錠釦２２を押しながら取り外すのを防げ、集塵ケース１８からの不用意な塵埃のこぼれ出しを防止できる。
【００５２】
また、集塵ケース１８を下本体９から取り外す時には、尾錠カバー４５の下本体９の壁９ａに接していた面４８が離れ、使用者が操作することなく尾錠カバーバネ４７の開力により尾錠カバー４５が自動的に開成する。そして、把手部４６の近傍に位置している尾錠釦２２を操作して蓋体２１を開成し、ワンタッチで集塵ケース１８の開口部１９ａから塵埃の排出が可能であり、良好な使い勝手を提供できる。
【００５３】
さらに、尾錠カバー４５による尾錠釦２２を覆う構成により、着脱用釦３９等の他の操作釦と混同することがなく、集塵ケース１８を下本体９に装着している時には、不要な操作釦は外郭から見えない位置にあり、デザイン的にも制限されることがない。また、普段は尾錠釦２２が見えない位置にあり、集塵ケース１８を取り外しの必要な時には、機能的に操作しやすい場所に配置することができる。なお、尾錠カバー４５は樹脂製であるが、透明、半透明、不透明のいずれであっても本実施例の作用効果を期待できるものである。
【００５４】
（実施例４）
次に本発明の実施例４を、図１４、図１５と実施例１の図を用いて説明する。なお、実施例１〜３と同一構成および作用効果を奏する部分については同一符号を付して詳細な説明を省略し、異なるところを中心に説明する。
【００５５】
集塵ケース１８は、突出部としての一部４５ａが下本体９の後方側である電動送風機１２側に突出した尾錠カバー４５を備え、この尾錠カバー４５は尾錠釦２２を覆う位置と、覆わない位置に摺動可能に設けてある。また、尾錠カバー４５は尾錠カバーバネ４９により下本体９の後側方向に力を受けており、その際には尾錠釦２２を覆わない場所に位置する構成となっている。
【００５６】
上記構成における動作、作用について説明する。集塵ケース１８を下本体９に装着する時には、図１５に示すように、尾錠カバー４５の下本体９の後方側へ突出している一部４５ａが下本体９の壁９ａに押され、使用者が操作することなく自動的に尾錠カバー４５が尾錠カバーバネ４９に抗して尾錠釦２２を覆う位置に摺動され、その後、集塵ケース１８が下本体９に装着されている間、尾錠釦２２が尾錠カバー４５に覆われ操作不能にできる。
【００５７】
また、集塵ケース１８を下本体９から取り外した時には、尾錠カバーバネ４９により、使用者が操作をすることなく尾錠カバー４５が後退して開き尾錠釦２２の上方を開放し、尾錠釦２２は操作できるようになるため、ワンタッチで蓋体２１の開いた集塵ケース１８の開口部１９ａから塵埃を排出可能である。
【００５８】
また、尾錠カバー４５は下本体９に装着された集塵ケース１８の前後方向に沿って平面的にスライドするので、集塵ケース１８の下本体９への着脱時においては、実施例３における尾錠カバー４５のように回転することで把手部４６より外側へ飛び出さず、集塵ケース１８内に納まった形態でスライドが行われ良好な使い勝手を提供できる。
【００５９】
（実施例５）
次に本発明の実施例５を、図１６〜図１９と実施例１の図を用いて説明する。なお、実施例１〜４と同一構成および作用効果を奏する部分については同一符号を付して詳細な説明を省略し、異なるところを中心に説明する。
【００６０】
集塵ケース１８は、下面を上向き傾斜面５０ａに形成した三角錐形状の突出部５０を外周面より下本体９の後方側に突出し、かつ軸心を中心に回転可能な円柱形状の尾錠釦２２を備える。尾錠釦２２は集塵ケース１８の案内筒１８ａに案内され、尾錠釦バネ３６の付勢力を受けて常に把手部４６の上面より突出しており、さらに螺旋状のカム溝５１を外周面に有しており、そのカム溝５１の右端には集塵ケース１８からの固定された案内杆である突出部５２が嵌合されている。
【００６１】
そして、尾錠釦２２は上方から押されると、固定の突出部部５２にカム溝５１が案内されて回転しながら下降し、集塵ケース１８の案内筒１８ａ内に没した位置で、集塵ケース１８の突出部５２がカム溝５１の左端に移動する構成となっている。また、尾錠釦２２の下面に設けた操作体５３は上下する尾錠釦２２の回転により、蓋体２１を係止する押しレバー３５を操作する位置（図１８）と、押しレバー３５を操作できない位置（図１９）に移動する。
【００６２】
上記構成における動作、作用について説明する。集塵ケース１８を下本体９に装着した時には、図１８に示すように、尾錠釦２２の突出している突出部５０が下本体９の壁９ａによって上向き傾斜面５０ａが押されるため、上部からみて半時計回りに尾錠釦２２は約４５度回転する。その時、集塵ケース１８の固定されている突出部５２が嵌合しているカム溝５１に案内され、螺旋状のカム溝５１の右端から左端に移動するため、尾錠釦２２も回転しながら螺旋状に集塵ケース１８の案内筒１８ａ内に没して収納される。
【００６３】
また、図１９に示すように、回転されると同時に尾錠釦２２の操作体５３は押しレバー３５を操作できない位置に移動する。これらのことにより集塵ケース１８を下本体９に装着している時には、尾錠釦２２は集塵ケース１８の一部である案内筒１８ａに没して収納され、かつ蓋体２１を開操作できない（操作し難い場所）場所に位置することになり、集塵ケース１８の下本体９への装着時において尾錠釦２２の誤操作を確実に防止することができる。
【００６４】
また、集塵ケース１８が下本体９から取り外される時には、尾錠釦バネ３６により尾錠釦２２は上方に移動し案内筒１８ａより出てくるのと同時に、突出部５２が嵌合している螺旋状のカム溝５１に案内され、カム溝５１の左端から右端に移動するため、尾錠釦２２は時計回りに回転し元の位置に戻る。よって、操作体５３も押しレバー３５を操作できる位置となり、尾錠釦２２をワンタッチで操作し押しレバー３５の係止を外し蓋体２１を開き塵埃を排出できる。
【００６５】
このように尾錠釦２２は必要（集塵ケース１８を下本体９から取り外し、塵埃を廃棄するとき）、不必要（集塵ケース１８を下本体９に装着しているとき）により出現、非出現である集塵ケース１８の案内筒１８ａより出没するため、さらに確実に尾錠釦２２の誤操作を防止することができる。また、他部品が必要無く安価に実現可能である。
【００６６】
なお、上記実施例では、尾錠釦２２にカム溝５１を、集塵ケース１８に突出部５２をそれぞれ設けたが、前記カム溝５１と突出部５２を逆の関係に集塵ケース１８と尾錠釦２２に設けても、本実施例と同じ作用効果を期待できるものである
【００６７】
【発明の効果】
以上のように本発明によれば、蓋体を開く操作タイミングを規制することにより、使い勝手を向上させた集塵ケースを有する電気掃除機を提供できる。
【図面の簡単な説明】
【図１】本発明の実施例１〜５における電気掃除機の斜視図
【図２】同電気掃除機の掃除機本体の分解斜視図
【図３】本発明の実施例１〜５における電気掃除機の蓋体を開いた状態の一部切欠した拡大斜視図
【図４】同電気掃除機の集塵ケースの拡大断面図
【図５】同電気掃除機における図４の集塵ケースのＸ−Ｘ線拡大断面図
【図６】本発明の実施例１における電気掃除機の尾錠主用部品の分解斜視図
【図７】同電気掃除機における図６の集塵ケースのＸ−Ｘ線側断面図
【図８】同電気掃除機の下本体に集塵ケースを装着した時における尾錠主用部品の斜視図
【図９】本発明の実施例２における電気掃除機の尾錠部品の分解斜視図
【図１０】同電気掃除機における図９の集塵ケースのＸ−Ｘ線断面図
【図１１】同電気掃除機の下本体装着時における図９の集塵ケースのＸ−Ｘ線断面図
【図１２】本発明の実施例３における電気掃除機の集塵ケースの断面図
【図１３】同電気掃除機の下本体に装着した時の集塵ケースの断面図
【図１４】本発明の実施例４における電気掃除機の尾錠主用部品の斜視図
【図１５】同電気掃除機の下本体に集塵ケースが装着した時の尾錠主用部品の斜視図
【図１６】本発明の実施例５における電気掃除機の尾錠部分の拡大断面図
【図１７】同電気掃除機の下本体に集塵ケースが装着した時の尾錠部分の拡大断面図
【図１８】同電気掃除機の尾錠部分の拡大平面図
【図１９】同電気掃除機の下本体に集塵ケースが装着した時の尾錠部分の拡大断面図
【図２０】従来の電気掃除機における掃除機本体の断面図
【符号の説明】
１　掃除機本体
１８　集塵ケース
１９ａ　開口部
２０、３４　軸
２１　蓋体
２２　尾錠釦
３３　蓋体バネ
３５　押しレバー
３５ａ　係止部材
３５ｂ　押圧部材（部材または手段）
３６　尾錠釦バネ
３７　尾錠ストッパーバネ
３８　尾錠ストッパー（手段）
４１　樹脂バネ
４２　凹部
４３、５０、５２　突出部
４５　尾錠カバー
４６　把手部
４７、４９　尾錠カバーバネ
５１　カム溝
【図１】
2004008295.tif 000003
【図２】
2004008295.tif 000004
【図３】
2004008295.tif 000005
【図４】
2004008295.tif 000006
【図５】
2004008295.tif 000007
【図６】
2004008295.tif 000008
【図７】
2004008295.tif 000009
【図８】
2004008295.tif 000010
【図９】
2004008295.tif 000011
【図１０】
2004008295.tif 000012
【図１１】
2004008295.tif 000013
【図１２】
2004008295.tif 000014
【図１３】
2004008295.tif 000015
【図１４】
2004008295.tif 000016
【図１５】
2004008295.tif 000017
【図１６】
2004008295.tif 000018
【図１７】
2004008295.tif 000019
【図１８】
2004008295.tif 000020
【図１９】
2004008295.tif 000021
【図２０】
2004008295.tif 000022